(57)【要約】【課題】  薬の管理が容易であるとともに、薬を入れた状態での取り扱いが容易である薬服用管理袋を提供すること。【解決手段】  折り畳み可能な材料から形成された台本体４と、台本体４の表側に配設された複数個の薬収容ポケット６と、台本体４に取り付けられた保持バンド１４と、を備えた薬服用管理袋。複数の薬収容ポケット６は、横方向に列状に１日分の薬を収容するように設けられているとともに、縦方向に段状に１週間分の薬を収容するように設けられている。この台本体４を収容するときには、台本体４を縦方向に折り畳んだ後に横方向に二つに折り畳み、このように折り畳んだ状態にて保持バンド１４で保持し、このように収納状態に保持することによって、薬服用管理袋の取扱い、持運びなどが容易となる。【選択図】  図１
2010088771.tif 000002
【特許請求の範囲】
【請求項１】
折り畳み可能な材料から形成された台本体と、前記台本体の表側に配設された複数個の薬収容ポケットと、前記台本体に取り付けられた保持バンドと、を備えており、
前記複数の薬収容ポケットは、横方向に列状に１日分の薬を収容するように設けられているとともに、縦方向に段状に１週間分の薬を収容するように設けられており、
前記台本体を収容するときには、前記台本体を前記縦方向に折り畳んだ後に前記横方向に二つに折り畳み、このように折り畳んだ状態にて保持バンドで保持することを特徴とする薬服用管理袋。
【請求項２】
前記複数の薬収容ポケットは、前記横方向に列状に４個配設され、前記縦方向に段状に７個配設され、前記複数の薬収容ポケットの上側に１段分の薬収容ポケットとほぼ同じ大きさの服用時表示部が設けられ、前記複数の薬収容ポケットの下側に２段分の薬収容ポケットと同じ大きさの補助収容ポケットが設けられ、前記台本体は、２段分の薬収容ポケットの幅でもって前記縦方向に折り畳まれることを特徴とする請求項１に記載の薬服用管理袋。
【請求項３】
前記保持バンドは伸縮自在なゴムバンドから構成され、前記ゴムバンドが、前記台本体の裏側の上端部に２段分の薬収容ポケットの幅に対応して設けられていることを特徴とする請求項２に記載の薬服用管理袋。
【請求項４】
貫通孔が設けられた台本体及び前記台本体の表面側に配設された複数個の薬収容ポケットを備えた薬服用管理袋と、前記薬服用管理袋を吊り下げるための吊下げ具と備え、前記吊下げ具は、これを掛けるための掛け部と、前記薬服用管理袋を吊り下げるための吊下げ部とを有し、前記台本体の前記貫通孔を利用して前記薬服用管理袋が前記吊下げ部の前記吊下げ部に着脱自在に吊り下げられることを特徴とする薬服用管理具。
【請求項５】
前記薬服用管理袋の前記貫通孔には係止部材が装着され、前記薬服用管理袋は前記係止部材を介して前記吊下げ具の前記吊下げ部に吊り下げられることを特徴とする請求項４に記載の薬服用管理具。
【請求項６】
前記係止部材は略リング状の係止部を有し、前記吊下げ具の前記吊下げ部は直線状であり、前記吊下げ具の前記吊下げ部が前記係止部材の前記係止部に挿通されることを特徴とする請求項５に記載の薬服用管理具。
【請求項７】
前記係止部材は略逆Ｕ字状の係止部を有し、前記吊下げ具の前記吊下げ部にはリング状部が設けられ、前記係止部材の前記係止部が前記吊下げ具の前記リング状部に係止されることを特徴とする請求項５に記載の薬服用管理具。
【発明の詳細な説明】
【技術分野】
【０００１】
本発明は、患者などが服用する薬を管理するための薬服用管理袋及び薬服用管理具に関する。
【背景技術】
【０００２】
薬剤などの薬を管理するための薬服用管理袋として、壁などに取り付けられた係止具（例えば、ねじなど）に吊り下げられる台本体と、この台本体の表面側に設けられた複数の薬収容ポケットとを備えたものが知られている（例えば、特許文献１参照）。この薬服用管理袋では、複数の薬収容ポケットは、横方向に列状に１日分の薬を収容するように設けられているとともに、縦方向に段状に１週間分の薬を収容するように設けられ、これら薬収容ポケットに薬を所要の通りに入れることによって、１週間分の服用すべき薬を容易に管理することができ、薬の飲み忘れなどを防止することができる。
【０００３】
【特許文献１】特開２００３ー５２７９３号公報
【発明の開示】
【発明が解決しようとする課題】
【０００４】
しかしながら、上述した薬服用管理袋では、壁などに吊り下げた状態においては、服用の曜日と服用の時刻（例えば、朝、昼、夜）から服用したか否かを容易に把握することができ、薬の服用の管理を容易に行うことができるが、このような状態では、取り扱いが容易でなく、例えば病院、介護老人ホームなどにおいて多数の患者に服用すべき薬を入れて渡すようにする場合などにおいては一度に多数の薬服用管理袋を取り扱うことが難しいという問題がある。
【０００５】
本発明の目的は、薬の管理が容易であるとともに、薬を入れた状態での取り扱いが容易である薬服用管理袋を提供することである。
また、本発明の他の目的は、病院、介護老人ホームなどにおいて多数の患者に服用すべき薬を入れて渡すような場合に好都合に適用することができる薬服用管理具を提供することである。
【課題を解決するための手段】
【０００６】
本発明の請求項１に記載の薬服用管理袋は、折り畳み可能な材料から形成された台本体と、前記台本体の表側に配設された複数個の薬収容ポケットと、前記台本体に取り付けられた保持バンドと、を備えており、
前記複数の薬収容ポケットは、横方向に列状に１日分の薬を収容するように設けられているとともに、縦方向に段状に１週間分の薬を収容するように設けられており、
前記台本体を収容するときには、前記台本体を前記縦方向に折り畳んだ後に前記横方向に二つに折り畳み、このように折り畳んだ状態にて保持バンドで保持することを特徴とする。
【０００７】
また、本発明の請求項２に記載の薬服用管理袋では、前記複数の薬収容ポケットは、前記横方向に列状に４個配設され、前記縦方向に段状に７個配設され、前記複数の薬収容ポケットの上側に１段分の薬収容ポケットとほぼ同じ大きさの服用時表示部が設けられ、前記複数の薬収容ポケットの下側に２段分の薬収容ポケットと同じ大きさの補助収容ポケットが設けられ、前記台本体は、２段分の薬収容ポケットの幅でもって前記縦方向に折り畳まれることを特徴とする。
【０００８】
また、本発明の請求項３に記載の薬服用管理袋では、前記保持バンドは伸縮自在なゴムバンドから構成され、前記ゴムバンドが、前記台本体の裏側の上端部に２段分の薬収容ポケットの幅に対応して設けられていることを特徴とする。
【０００９】
また、本発明の請求項４に記載の薬服用管理具は、貫通孔が設けられた台本体及び前記台本体の表面側に配設された複数個の薬収容ポケットを備えた薬服用管理袋と、前記薬服用管理袋を吊り下げるための吊下げ具と備え、前記吊下げ具は、これを掛けるための掛け部と、前記薬服用管理袋を吊り下げるための吊下げ部とを有し、前記台本体の前記貫通孔を利用して前記薬服用管理袋が前記吊下げ部の前記吊下げ部に着脱自在に吊り下げられることを特徴とする。
【００１０】
また、本発明の請求項５に記載の薬服用管理具では、前記薬服用管理袋の前記貫通孔には係止部材が装着され、前記薬服用管理袋は前記係止部材を介して前記吊下げ具の前記吊下げ部に吊り下げられることを特徴とする。
【００１１】
また、本発明の請求項６に記載の薬服用管理具では、前記係止部材は略リング状の係止部を有し、前記吊下げ具の前記吊下げ部は直線状であり、前記吊下げ具の前記吊下げ部が前記係止部材の前記係止部に挿通されることを特徴とする。
【００１２】
更に、本発明の請求項７に記載の薬服用管理具では、前記係止部材は略逆Ｕ字状の係止部を有し、前記吊下げ具の前記吊下げ部にはリング状部が設けられ、前記係止部材の前記係止部が前記吊下げ具の前記リング状部に係止されることを特徴とする。
【発明の効果】
【００１３】
本発明の請求項１に記載の薬服用管理袋によれば、複数の薬収容ポケットを有する台本体に保持バンドが設けられているので、台本体を縦方向に折り畳んだ後に横方向に二つに折り畳み、このように折り畳んだ状態にて保持バンドで保持することができ、このように保持することによって、台本体を小な収容状態に保つことができる。そして、このような収容状態に保つことによって、その取り扱いが容易になるとともに、例えばバッグなどに収容することによって、多くの薬服用管理袋を持ち運びすることができる。また、台本体の表面側に薬収容ポケットが横方向に列状に１日分の薬を収容するように設けられているとともに、縦方向に段状に１週間分の薬を収容するように設けられているので、台本体を展開して例えば壁などに吊り下げることによって、服用すべき薬を簡単に且つ容易に管理することができる。
【００１４】
また、本発明の請求項２に記載の薬服用管理袋によれば、複数の薬収容ポケットは縦方向に段状に７個配設され、複数の薬収容ポケットの上側に１段分の薬収容ポケットとほぼ同じ大きさの服用時表示部が設けられ、複数の薬収容ポケットの下側に２段分の薬収容ポケットと同じ大きさの補助収容ポケットが設けられているので、この台本体を２段分の薬収容ポケットの幅でもって上下方向に４つに折り畳むことができ、台本体をコンパクトに収容することができる。
【００１５】
また、本発明の請求項３に記載の薬服用管理袋によれば、保持バンドが伸縮自在なゴムバンドから構成されているので、このゴムバンドの弾性を利用して折り畳んだ台本体を簡単に収容状態に保持することができる。
【００１６】
また、本発明の請求項４に記載の薬服用管理具によれば、複数の薬収容ポケットを備えた薬服用管理袋と、これを吊り下げるための吊下げ具から構成され、台本体に設けられた貫通孔を利用して薬服用管理袋が吊下げ部の吊下げ部に着脱自在に吊り下げられるので、薬服用管理袋を展開した状態で吊下げ具に吊り下げることができ、このような状態に保つことによって、複数の薬収容ポケットに服用すべき薬を簡単に且つ容易に収容することができる。また、薬服用管理袋を吊した吊下げ具を例えばキャスター付き移動具などに吊り下げることによって、病院、老人介護ホームなどにおいて多数の薬服用管理袋を患者などに容易に運ぶことができる。
【００１７】
また、本発明の請求項５に記載の薬服用管理具によれば、薬服用管理袋はその貫通孔に装着された係止部材を介して吊下げ具の吊下げ部に吊り下げるので、薬服用管理袋を簡単に吊り下げることができる。
【００１８】
また、本発明の請求項６に記載の薬服用管理具によれば、係止部材は略リング状の係止部を有しているので、吊下げ具の直線状の吊下げ部を係止部材のこの係止部に挿通することによって、薬服用管理袋を吊下げ具に着脱自在に係止することができる。
【００１９】
更に、本発明の請求項７に記載の薬服用管理具によれば、係止部材は略逆Ｕ字状の係止部を有しているので、吊下げ具の吊下げ部に設けられたリング状部に係止部材の係止部を係止することによって、薬服用管理袋を吊下げ具に着脱自在に係止させることができる。
【発明を実施するための最良の形態】
【００２０】
以下、添付図面を参照して、本発明に従う薬服用管理袋及び薬服用管理具の一実施形態について説明する。
薬服用管理袋の実施形態
図１〜図５を参照して、一実施形態の薬服用管理袋について説明する。図１は、一実施形態の袋服用管理袋を示す正面図であり、図２は、図１の薬服用管理袋の一部を拡大して示す部分拡大図であり、図３は、図２におけるＩＩＩ−ＩＩＩ線による断面図であり、図４は、図１の薬服用管理袋を縦方向に４つに折り畳んだ状態を示す図であり、図５は、図４に示す状態から更に横方向に２つに折った後に保持バンドで保持した状態を示す斜視図である。
【００２１】
図１おいて、図示の薬服用管理袋２は、折り畳み可能な材料、例えば合成樹脂材料のシートから形成される台本体４を備えている。この台本体４は、縦方向（図１において上下方向）に細長い矩形状に形成され、壁などに後述するように吊り下げたときににも形状が保てるようにある程度の強度を有している。
【００２２】
この薬服用管理袋２は１週間の薬を管理することができるように構成され、その台本体４の表面側には複数個の薬収容ポケット６が配設されている。薬収容ポケット６は、横方向（図１において左右方向）に列状に１日分の薬を収容するように４つ設けられ、また縦方向に段状に１週間分の薬を収容するように７段設けられ、合計２８個の薬収容ポケット６が設けられている。
【００２３】
この実施形態では、列状の薬収容ポケット６は、図１において左から右に順に、朝に服用する薬を収容するもの（即ち、朝用薬収容ポケット）、昼に服用する薬を収容するもの（即ち、昼用薬収容ポケット）、夜に服用する薬を収容するもの（即ち、夜用薬収容ポケット）及び寝る前に服用する薬を収容するもの（即ち、寝る前用薬収容ポケット）となっている。尚、寝る前に服用する薬がないときには、朝用、昼用及び夜用薬収容ポケットと列状に３つの薬収容ポケット６を備えたものとすることができる。
【００２４】
また、段状の薬収容ポケット６は、図１において上から下に順に、月曜日に服用する薬を収容するもの（即ち、月曜日用薬収容ポケット）、火曜日（又は水曜日、木曜日、金曜日、土曜日、日曜日）に服用する薬を収容するもの〔即ち、火曜日用薬収容ポケット（又は水曜日用薬収容ポケット、木曜日用薬収容ポケット、金曜日用薬収容ポケット、土曜日用薬収容ポケット、日曜日用薬収容ポケット）〕となっている。尚、この形態では、最上段の薬収容ポケット６が月曜日用薬収容ポケットとなっているが、これに限定されず、最上段のものを例えば日曜日用薬収容ポケットなどにすることもできる。
【００２５】
このような構成に関連して、複数の薬収容ポケット６の上側に服用時表示部８が設けられている。この服用時表示部８は、列状の薬収容ポケット６の数に対応して４つの表示部８ａ，８ｂ，８ｃ，８ｄが設けられている。図１において左側の表示部８ａは、朝用薬収容ポケット６に対応して設けられ、「あさ」の表示が施されている。図１において左中の表示部８ｂは、昼用薬収容ポケット６に対応して設けられ、「ひる」の表示が施されている。図１において右中の表示部８ｃは、夜用薬収容ポケット６に対応して設けられ、「よる」の表示が施されている。また、図１において右側の表示部８ｄは、寝る前用薬収容ポケット６に対応して設けられ、「ねる前」の表示が施されている。
【００２６】
また、複数の薬服用ポケット６の下側に、一対の補助収容ポケット１０が設けられている。図１において左側の一方の補助収容ポケット１０は、左側の２つの薬収容ポケット６（朝用薬収容ポケット及び昼用薬収容ポケット）に対応して設けられ、また図１において右側の他方の補助収容ポケット１０は右側の２つの薬収容ポケット６に対応して設けられ、これら補助収容ポケット１０には、例えば健康保険証、薬の処方箋、診察カードなどが収容できるように構成される。尚、補助収容ポケット１０の開口部には、例えばファスナー（図示せず）などを設けて開閉自在とするのが望ましい。
【００２７】
更に、台本体４の幅方向中央部には服用曜日表示部１２が設けられている。この服用曜日表示部１２は台本体４の一端（図１において上端）から他端（図１において下端）まで伸びており、この服用曜日表示部１２の片側（図１において左側）に左側の２つの薬収容ポケット６（朝用薬収容ポケット及び昼用薬収容ポケット）が設けられ、その図１において右側に右側の２つの薬収容ポケット６（夜用薬収容ポケット及び寝る前用薬収容ポケット）が設けられている。
【００２８】
この服用曜日表示部１２は、段状の薬収容ポケット６の数に対応して７つの表示部１２ａ，１２ｂ，１２ｃ，１２ｄ，１２ｅ，１２ｆ，１２ｇが設けられている。図１において最上段の表示部１２ａは、月曜日用薬収容ポケット６に対応して設けられ、「月」の表示が施されている。図１において上から２段目の表示部１２ｂは、火曜日用薬収容ポケット６に対応して設けられ、「火」の表示が施されている。また、上から３段目（又は４段目、５段目、６段目、７段目）の表示部１２ｃ（又は１２ｄ，１２ｅ，１２ｆ，１２ｇ）は、水曜日用薬収容ポケット６に対応して設けられ、「水」（又は「木」、「金」、「土」、「日」）の表示が施されている。
【００２９】
この実施形態では、服用時表示部８及び服用曜日表示部１２が上述したように設けられているので、薬収容ポケット６に収容された薬は、どの曜日の何時服用すべきものであるかを容易に把握することができ、薬の服用の管理が容易となり、飲み忘れなどを防止することができる。
【００３０】
この実施形態では、収納が容易となるように、更に、次の通りに構成されている。各薬服用ポケット６の大きさは同じ大きさに形成されている。また、服用時表示部８の幅（図１において上下方向の幅）は、１段分の薬収容ポケット６とほぼ同じ大きさ（図１において上下方向の大きさ）に形成されている。更に、補助収容ポケット１０の幅（図１において上下方向の幅）は、２段分の薬収容ポケット６とほぼ同じ大きさ（図１において上下方向の大きさ）に形成されている。
【００３１】
このことに関連して、この薬服用管理袋２は、２段分の薬収容ポケット６の幅でもって内側に折り畳むことができるように構成されている。即ち、収納する時には、台本体４の他端側から一端側に向けて縦方向に、図１における一点鎖線Ａ，Ｂ，Ｃ，Ｄの部位にて折り畳むことができる。そして、このように折り畳んだ状態にて、更に、横方向中央部にて半分に、即ち図１における一点鎖線Ｅの部位にて折り畳むことができ、このように折り畳むことによって、面積的に展開した台本体４の８分の１（１／８）の大きさに折り畳むことができる。
【００３２】
この薬服用管理袋２は、上述したように折り畳んだ状態を保持するための保持バンド１４が設けられている。この保持バンド１４は、台本体４の裏側に設けられ、服用時表示部８及び最上段の薬服用ポケット６に対応してその一側端（図１において左側端）に対応して設けられている。保持バンド１４は伸縮自在なゴムバンドから構成され、その一端部が台本体４の裏側における服用時表示部８の上端部に縫い付けられ、その他端部が台本体４の裏側における最上段の薬収容ポケット６の底部に縫い付けられている。
【００３３】
この薬服用管理袋２では、服用時表示部８の上端部に、横方向に間隔をおいて３つの孔が設けられ、これら孔にリング状の金具１６が取り付けられている。この薬服用管理袋２を用いるときには、壁、柱などに係止金具（図示せず）が取り付けられ、かかる係止金具にリング状金具１６が係止され、このようにして薬服用管理袋２が展開した状態で係止金具に吊り下げられる。
【００３４】
この薬服用管理袋２では、各薬収容ポケット６に関連して、次のように構成されている。図１とともに図２及び図３を参照して、各薬収容ポケット６は、台本体４とこの台本体４の表面側に配設された透明乃至半透明の樹脂シート１８との間に規定される。この樹脂シート１８の下端部（図１〜図３において下端部）には、これを両側から挟むようにして下補強シート２０が設けられ、下補強シート２０及び樹脂シート１８が台本体４に縫い付けられている。また、樹脂シート１８の上端部（図１〜３において上端部であって、薬収容ポケット６の開口部）には、下端部と同様に、これを両側から挟むようにして上補強シート２２が設けられ、この上補強シート２２が樹脂シート１８に縫い付けられている。このように構成されているので、各薬収容ポケット６の開口部の内側に上補強シート２２が存在し、この上補強シートが薬収容ポケット６の開口部にて内側に突出しており（図３参照）、それ故に、収容した薬（薬剤など）が開口部から出ようとすると、この薬が内側の上補強シート２２の端面に当たり、収容した薬が不注意に出るのを防止することができる。
【００３５】
このような薬服用管理袋２では、上側の薬収容ポケット６の下補強シート２０と下側の薬収容ポケット６の上補強シート２２との間隔を収容する薬の大きさとほど同様又はこれよりも小さくするのが好ましく、このような間隔にすることによって、下側の薬収容ポケット６の開口部を通して出ようとする薬は、上側の薬収容ポケット６の下補強シート２０の下端に当たり、収容した薬が不注意に出ようとするのをより効果的に防止することができる。
【００３６】
尚、この形態では、樹脂シート１８が台本体４に縫い付けられ、このように縫い付けて朝用薬収容ポケット６と昼用薬収容ポケット６とが仕切られ、また夜用薬収容ポケット６と寝る前用薬収容ポケット６とが仕切られている。
【００３７】
この薬服用管理袋２を例えば持ち運ぶために収納する場合には、図１及び図４から理解されるように、台本体４の他端部から一端部に向けて、一点鎖線Ａ（即ち、補助収容ポケット１０と日曜日用薬収容ポケット６との間の部位）で内側に折り、次に一点鎖線Ｂ（即ち、土曜日用薬収容ポケット６と金曜日用薬収容ポケット６との間の部位）で内側に折り、次に一点鎖線Ｃ（即ち、木曜日用薬収容ポケット６と水曜日用薬収容ポケット６との間の部位）で内側に折り、更に一点鎖線Ｄ（即ち、火曜日用薬収容ポケット６と月曜日用薬収容ポケット６との間の部位）で内側に折り、こようにして縦方向に重なるように４つ折りをする（図４参照）。
【００３８】
その後、図５に示すように、縦方向に四つ折りした状態の薬服用管理袋２を一点鎖線Ｅ（即ち、服用曜日表示部１２）で二つ折りにし、かく二つ折りした状態で保持バンド１４を引き延ばして反対側に掛け、上述したように折り畳んだ状態の薬服用管理袋２を保持バンド１４でもって弾性的に保持し、このように保持することによって、その取り扱いが非常に容易となり、バッグなどに収容して容易に持ち運ぶことができるとともに、多数であっても容易に持ち運ぶことができる。
【００３９】
薬服用管理具の実施形態
次に、図６〜図８を参照して、一実施形態の薬服用管理具について説明する。図６は、一実施形態の薬服用管理具の一部を示す正面図であり、図７は、図６の薬服用管理具を移動具に吊した状態を示す斜視図であり、図８は、他の実施形態の薬服用管理具の一部を示す正面図である。
【００４０】
図６及び図７において、図示の薬服用管理具は、服用すべき薬の服用を所要の通りに管理するための薬服用管理袋５２と、この薬服用管理袋５２を吊り下げるための吊下げ具５４とを備えている。薬服用管理袋５２は、図１〜図５に示す上述したものと実質上同一のものでよく、その台本体５６の表面側に複数の薬収容ポケット５８が設けられ、これら薬収容ポケット５８は、横方向（図６において左右方向）に列状に１日分の薬を収容することができるように４つ設けられるとともに、縦方向（図６において上下方向）に段状に１週間分の薬を収容することができるように７段設けられている。
【００４１】
この薬服用管理具５０においては、台本体５６に装着されたリング状金具６０（このリング状金具６０の内側孔が貫通孔として機能する）に係止部材６２が装着される。係止部材６２は略リング状で、その一部にリング状金具６０に装着するための切断部を有している。この係止部材６２は、その全体が略リング状の係止部として機能し、この切断部を通して薬服用管理具５０のリング状金具６０に着脱自在に装着される。
【００４２】
吊下げ具５４は、略逆Ｕ字状の掛け部６４と、直線状に延びる吊下げ部６６とを有し、掛け部６４がその一端部に設けられ、吊下げ部６６がその他端部に設けられている。このような吊下げ具５４は、例えば合成樹脂などから形成される。
【００４３】
この吊下げ具５４は、図６及び図７に示すように用いられる。即ち、図６に示すように、薬服用管理袋５２に装着された係止部材６２に吊下げ具５４の吊下げ部６６を挿通し、この吊下げ具５４に係止部材６２を介して薬服用管理袋５２を吊り下げる。尚、吊り下げた薬服用管理袋５２が滑り落ちないようにするために、吊下げ部６６の先端部に上方に突出する落下防止部６８を設けることができる。
【００４４】
その後、図７に示すように、薬服用管理袋５２を吊り下げた吊下げ具５４を移動具７０に吊り下げる。この移動具７０は、間隔を配設される一対の支柱部７２，７４と、これら一対の支柱部７２，７４の上端部間を接続する吊下げ接続部７６とを備え、各支柱部７２，７４のベース部７８，８０に一対のキャスター８２，８４が取り付けられている。吊下げ具５４は、その掛け部６４を移動具７０の吊下げ接続部７６に引っ掛けるようにして吊り下げられ、このように吊り下げることによって、多数の薬服用管理袋５２を吊り下げた状態で運ぶことができ、これらの取扱いが非常に容易となり、薬を服用する患者が多くいる病院、老人介護ホームなどにおいて好適に用いることができる。尚、患者などに薬を渡すときには薬服用管理袋５２の薬収容ポケット５８に薬が入っているが、服用後に患者などから回収するときには、薬服用管理袋５２の薬収容ポケット５８には薬は入っていない。
【００４５】
薬服用管理具は、図８に示すように構成することもできる。尚、以下の説明において、図６及び図７に示す部材と実質上同一の部材には同一の参照番号を付し、その説明を省略する。
【００４６】
図８において、この薬服用管理具５０Ａにおいては、係止部材６２Ａ及び吊下げ具５４Ａに修正が施されている。即ち、係止部材６２Ａは略Ｃ字状であり、その上端部に略逆Ｕ字状の係止部９２を有し、その下端部に略Ｕ字状の装着部９４を有し、その装着部９４に薬服用管理袋５２のリング状金具６０が装着される。また、吊下げ具５４Ａの吊下げ部６６には、薬服用管理袋５２のリング状金具６０に対応してリング状部９６が設けられ、かかるリング状部９６に係止部材６２Ａの係止部９２が係止され、このようにして薬服用管理袋５２が係止部材６２Ａを介して吊下げ具５４Ａに着脱自在に装着される。
【００４７】
このような薬服用管理具においても、上述したと同様にして吊下げ具５４Ａの掛け部６４を移動具の吊下げ接続部に引っ掛け吊り下げることができ、上述したと同様の作用効果が達成することができる。加えて、係止部材６２Ａの係止部９２が吊下げ具５４Ａの吊下げ部６６のリング状部９６に係止されるので、この係止部材６２Ａが吊下げ部６６を滑って移動することがなく、薬服用管理袋５２を吊下げ具５４Ａにより確実に吊り下げることができる。
【００４８】
薬服用管理具は、図９に示すように構成することもできる。図９において、この薬服用管理具５０Ｂにおいては、吊下げ具５４Ｂに修正が施されている。即ち、吊下げ具５４Ｂの吊下げ部６６には、薬服用管理袋５２のリング状金具６０の一部（この実施形態では、両側のリング状金具）に対応して、略Ｕ字状の下げ部９８が設けられ、かかる下げ部９８に薬服用管理袋５２のリング状金具６０が引っ掛けられ、このようにして薬服用管理袋５２が直接的に吊下げ具５４Ｂに着脱自在に装着される。
【００４９】
このような薬服用管理具５０Ｂにおいても、上述したと同様にして吊下げ具５４Ｂの掛け部６４を移動具の吊下げ接続部に引っ掛け吊り下げることができ、上述したと同様の作用効果が達成することができる。加えて、薬服用管理袋５２のリング状金具６０が吊下げ具５４Ｂの吊下げ部６６の下げ部９８に掛けるので、薬服用管理袋５２が滑って移動することがなく、薬服用管理袋５２を吊下げ具５４Ｂに確実に吊り下げることができる。
【００５０】
上述した実施形態では、薬服用管理袋５２のリング状金具６０の一部に対応して吊下げ具５４Ｂに下げ部９８を設けているが、この下げ部９８については、薬服用管理袋５２のリング状金具６０の全てに対応して設けるようにしてもよい。
【００５１】
尚、図９における吊下げ具５４Ｂにおいては、吊下げ部６６に下げ部９８を設けているが、このような下げ部９８を省略し、吊下げ部６６を薬服用管理袋のリング状金具６０に直接的に挿通して吊り下げるようにしてもよく、このようにすることによって、薬服用管理具の構成をより簡単にすることができる。
【００５２】
以上、本発明に従う薬服用管理袋及び薬服用管理具の実施形態について説明したが、本発明はかかる実施形態に限定されるものではなく、本発明の範囲を逸脱することなく種々の変更乃至修正が可能である。
【図面の簡単な説明】
【００５３】
【図１】一実施形態の袋服用管理袋を示す正面図。
【図２】図１の薬服用管理袋の一部を拡大して示す部分拡大図。
【図３】図２におけるＩＩＩ−ＩＩＩ線による断面図。
【図４】図１の薬服用管理袋を縦方向に４つに折り畳んだ状態を示す図。
【図５】図４に示す状態から更に横方向に２つに折った後に保持バンドで保持した状態を示す斜視図。
【図６】一実施形態の薬服用管理具の一部を示す正面図。
【図７】図６の薬服用管理具を移動具に吊した状態を示す斜視図。
【図８】他の実施形態の薬服用管理具の一部を示す正面図。
【図９】更に他の実施形態の薬服用管理具の一部を示す正面図。
【符号の説明】
【００５４】
２，５２  薬服用管理袋
４，５６  台本体
６，５８  薬収容ポケット
８  服用時表示部
１０  補助収容ポケット
１２  服用曜日表示部
１４  保持ハンド
１６  リング状金具
１８  樹脂シート
５０，５０Ａ，５０Ｂ  薬服用管理具
５４，５６Ａ，５４Ｂ  吊下げ具
６２，６２Ａ  係止部材
６６  吊下げ部
７０  移動具
【図１】
2010088771.tif 000003
【図２】
2010088771.tif 000004
【図３】
2010088771.tif 000005
【図４】
2010088771.tif 000006
【図５】
2010088771.tif 000007
【図６】
2010088771.tif 000008
【図７】
2010088771.tif 000009
【図８】
2010088771.tif 000010
【図９】
2010088771.tif 000011